(57)【要約】【課題】使用の仕方によって広角で面白みのある写真等が取れ、しかも、比較的安価なパノラマレンズを提供すること。【解決手段】光軸方向に直交する各断面の外形が円形に形成されたレンズであって、前記光軸方向の一端部に、深さ方向に狭窄し中心軸の延在方向が前記光軸方向と合致する円錐状穴が形成され、前記円錐状穴の開口の外側部分は環状凸状面を構成し、前記光軸方向の他端部は円形凸状面を構成し、前記環状凸状面側の正面斜め外方からの光が前記環状凸状面に入射したとした場合に、前記円錐状穴の周壁で反射されて前記円形凸状面から出射されるように構成されていることを特徴とする。【選択図】図２
2009288521.tif 000002
【特許請求の範囲】
【請求項１】
光軸方向に直交する各断面の外形が円形に形成されたレンズであって、前記光軸方向の一端部に、深さ方向に狭窄し中心軸の延在方向が前記光軸方向と合致する円錐状穴が形成され、前記円錐状穴の開口の外側部分は環状凸状面を構成し、前記光軸方向の他端部は円形凸状面を構成し、前記環状凸状面側の正面斜め外方からの光が前記環状凸状面に入射したとした場合に、前記円錐状穴の周壁で反射されて前記円形凸状面から出射されるように構成されていることを特徴とするパノラマレンズ。
【請求項２】
前記光軸方向に直交する方向からの光が前記環状凸状面に入射したとした場合に、前記円錐状穴の周壁で反射されて前記円形凸状面から出射されるように構成されていることを特徴とする請求項１に記載のパノラマレンズ。
【請求項３】
光軸方向に直交する各断面の外形が円形に形成されたレンズであって、前記光軸方向の一端部に、深さ方向に狭窄し中心軸の延在方向が前記光軸方向と合致する円錐台状穴が形成され、前記円錐台状穴の外側部分は環状凸状面を構成し、前記光軸方向の他端部は円形凸状面を構成し、前記環状凸状面側の正面斜め外方からの光が前記環状凸状面に入射したとした場合に、前記円錐台状穴の周壁で反射されて前記円形凸状面から出射されるように構成されていることを特徴とするパノラマレンズ。
【請求項４】
前記光軸方向に直交する方向からの光が前記環状凸状面に入射したとした場合に、前記円錐台状穴の周壁で反射されて前記円形凸状面から出射されるように構成されていることを特徴とする請求項３に記載のパノラマレンズ。
【発明の詳細な説明】
【技術分野】
【０００１】
本発明は、パノラマレンズに関するものである。
【背景技術】
【０００２】
従来、被写体までの距離が取れない状況で広い範囲を撮影したいときにパノラマレンズが使用されている。このパノラマレンズとしては単レンズを何枚も重ねたものが一般的である。
【特許文献１】特開２００４−６９７６８公報
【発明の開示】
【発明が解決しようとする課題】
【０００３】
従来のパノラマレンズをカメラレンズなどに使用する場合、被写体の形を可能な限り忠実に再現することに主眼がおかれていた。
しかしながら、例えば、監視カメラなどにおいては、被写体の形を忠実に撮さなくても広い範囲さえ撮影できれば足りることも多い。この場合、単レンズを何枚も重ねたパノラマレンズを使用するとすればコストが嵩んでしまう。
また、風景写真などを撮る場合にも、被写体の形を素材に今までにない面白みのある写真としたいことも多々ある。
【０００４】
本発明は、かかる問題点を解決するためになされたもので、使用の仕方によって広角で面白みのある写真等が取れ、しかも、比較的安価なパノラマレンズを提供することを目的とする。
【課題を解決するための手段】
【０００５】
請求項１の発明は、
光軸方向に直交する各断面の外形が円形に形成されたレンズであって、前記光軸方向の一端部に、深さ方向に狭窄し中心軸の延在方向が前記光軸方向と合致する円錐状穴が形成され、前記円錐状穴の開口の外側部分は環状凸状面を構成し、前記光軸方向の他端部は円形凸状面を構成し、前記環状凸状面側の正面斜め外方からの光が前記環状凸状面に入射したとした場合に、前記円錐状穴の周壁で反射されて前記円形凸状面から出射されるように構成されていることを特徴とするパノラマレンズである。
ここに、円錐状穴の開口の外側部分を環状凸状面としたのは、円錐状穴の形成されている端部を対物側とした場合に、広角で光を拾うためである。一方、反対側の端部を円形凸状面としたのは、円錐状穴が形成されている面を対物側とした場合に、本来ならばレンズの周面から出射されてしまう光をも可能な限り円形凸状面で光軸方向に屈折させて出射させるためである。
【０００６】
請求項２の発明は、請求項１に記載のパノラマレンズであって、
前記光軸方向に直交する方向からの光が前記環状凸状面に入射したとした場合に、前記円錐状穴の周壁で反射されて前記円形凸状面から出射されるように構成されていることを特徴とする。
【０００７】
請求項３の発明は、
光軸方向に直交する各断面の外形が円形に形成されたレンズであって、前記光軸方向の一端部に、深さ方向に狭窄し中心軸の延在方向が前記光軸方向と合致する円錐台状穴が形成され、前記円錐台状穴の外側部分は環状凸状面を構成し、前記光軸方向の他端部は円形凸状面を構成し、前記環状凸状面側の正面斜め外方からの光が前記環状凸状面に入射したとした場合に、前記円錐台状穴の周壁で反射されて前記円形凸状面から出射されるように構成されていることを特徴とするパノラマレンズである。
ここに、円錐台状穴の開口の外側部分を環状凸状面としたのは、円錐台状穴の形成されている端部を対物側とした場合に、広角で光を拾うためである。一方、反対側の端部を円形凸状面としたのは、円錐台状穴が形成されている面を対物側とした場合に、本来ならばレンズの周面から出射されてしまう光をも可能な限り円形凸状面で光軸方向に屈折させて出射させるためである。
【０００８】
請求項４の発明は、請求項３に記載のパノラマレンズであって、
前記光軸方向に直交する方向からの光が前記環状凸状面に入射したとした場合に、前記円錐台状穴の周壁で反射されて前記円形凸状面から出射されるように構成されていることを特徴とする。
【発明の効果】
【０００９】
請求項１及び２の発明によれば、環状凸状面側の正面斜め外方からの光が環状凸状面に入射した場合、その光は円錐状穴の周壁で反射されて円形凸状面から出射される。そして、この場合、広角範囲に同じ大きさの物体が等距離に置かれているとすれば、円形凸状面から出射される光によって形成される光像は、より広角位置に置かれた物体ほど光軸から離れた位置に大きな像となって形成される。したがって、このパノラマレンズを通して見た景色には奥行き感が出ることになる。その結果、カメラレンズとして使用した場合、面白みのある写真撮影が可能となる。また、広角位置に存在するものを広く観察できるので、パノラマレンズ周辺の監視装置にも適用することができる。
一方で、請求項１及び２の発明によれば、円形凸状面を対物側とした場合、物体からの光が円形凸状面に入射したとき、円錐状穴の周壁及び環状凸状面から出射される。そして、この場合、円錐状穴の周壁及び環状凸状面から出射される光によって形成される光像は模様となる。
【００１０】
請求項３及び４の発明によれば、環状凸状面側の正面からの光が円錐台状穴の底壁から入射した場合、その光は底壁を透過して出射される。つまり、正面に置かれた物体からの光は底壁から出射されて物体の形を保持した光像となる。また、環状凸状面側の正面斜め外方からの光が環状凸状面に入射した場合、その光は円錐台状穴の周壁で反射されて円形凸状面から出射される。そして、後者の場合、広角範囲に同じ大きさの物体が等距離に置かれているとすれば、円形凸状面から出射される光によって形成される光像は、より広角位置に置かれた物体ほど光軸から離れた位置に大きな像となって形成される。したがって、このパノラマレンズを通して見た景色には奥行き感が出ることになる。その結果、カメラレンズとして使用した場合、面白みのある写真撮影が可能となる。また、広角位置に存在するものを広く観察できるので、パノラマレンズ周辺の監視装置にも適用することができる。
一方、請求項３及び４の発明によれば、円形凸状面を対物側とした場合、物体からの光が円形凸状面に入射したとき、円錐状穴の周壁及び環状凸状面から出射される。そして、この場合、円錐状穴の周壁及び環状凸状面から出射される光によって形成される光像は模様となる。
【発明を実施するための最良の形態】
【００１１】
（第１実施形態）
図１には第１実施形態のパノラマレンズの斜視図、図２には図１のパノラマレンズの断面図、図３には図１のパノラマレンズの光路が示されている。
これらの図において符号１はパノラマレンズを指示し、このパノラマレンズ１は、特に限定はされないがプラスチックで形成され、光軸方向２に直交する各断面の外形が円形に形成されている。
パノラマレンズ１の光軸方向２の中央は、一定の径を持つ円柱状部分３となっている。なお、円柱状部分３の外周にはパノラマレンズ１をカメラフード等に取り付けるためのフランジ４が形成されている。
また、パノラマレンズ１の光軸方向２の一端側には、深さ方向に穴径が小さくなるように狭窄する円錐状穴５が形成されている。
また、パノラマレンズ１の円錐状穴５の外側部分は当該円錐状穴５を取り巻く形の環状凸状面６となっている。すなわち、円錐状穴５の開口縁と円柱状部分３との間の角部分は、環状凸状面６を構成している。
また、パノラマレンズ１の光軸方向２の他端側は円形凸状面７となっている。
そして、このパノラマレンズ１では、環状凸状面６側の正面斜め外方及び光軸方向２に直交する方向からの光が環状凸状面６に入射した場合に、円錐状穴５の周壁で反射されて円形凸状面７から出射されるようになっている。
【００１２】
次に、パノラマレンズ１の作用を説明する。
このパノラマレンズ１は環状凸状面６及び円形凸状面７を選択的に対物側に向けて使用できる。したがって、パノラマレンズ１の作用もその使用態様毎に分けて説明する。
【００１３】
１．環状凸状面６を対物側とした場合
図３には環状凸状面６を対物側とした場合におけるパノラマレンズ１の光路が示されている。同図には物体１１〜１９が示されている。図面上では、これらの物体は人形であり、パノラマレンズ１に足を向けて寝ているような形で示されている。しかし、これは描画上での便宜のためであって、実際には、物体１１〜１９は足を地に着けた形で立っており、光軸が水平となるようにパノラマレンズ１が保持されている。
また、同図には円形凸状面７側の光軸上で目で観察した場合の光像Ｉ１１〜Ｉ１９が示されている。この中で光像Ｉ１２〜Ｉ１９はパノラマレンズ１に頭を向けて寝ているような形で図示されている。しかし、これも描画上での便宜のためである。実際には、光像Ｉ１２〜Ｉ１９は正立像となる。
まず、正面に位置する物体１１からの光の中で円錐状穴５に入射する成分は円錐状穴５の周壁の内面で反射され、その多くはパノラマレンズ１の周辺方向に出射されて目に届かない。そして、円錐状穴５の底点を透過した光の成分が点の光像Ｉ１１となって目に届く。また、正面に位置する物体１１からの光の中で環状凸状面６に入射する成分の多くはパノラマレンズ１の周辺方向に出射されて目に届かない。なお、目に届く光像Ｉ１１が目障りとなる場合には、円錐状穴５に黒色の円錐状に丸めた紙を入れたり、円錐状穴５の周壁を黒く塗ったりすれば、目障り感が軽減される。
また、物体１１の両横に位置する物体１２，１３からの光の中で環状凸状面６に入射する成分は円錐状穴５の周壁によって反射され円形凸状面７から出射される。そして、光像Ｉ１２，Ｉ１３となって目に届く。この場合の光像Ｉ１２，Ｉ１３は光軸の近くに形成される。
さらに、物体１４，１５からの光の中で環状凸状面６に入射する成分は円錐状穴５の周壁によって反射され円形凸状面７から出射される。そして、光像Ｉ１４，Ｉ１５となって目に届く。この場合の光像Ｉ１４，Ｉ１５は光像Ｉ１２，Ｉ１３よりも光軸から離間した位置に形成される。
また、物体１６，１７からの光の中で環状凸状面６に入射する成分は円錐状穴５の周壁によって反射され円形凸状面７から出射される。そして、光像Ｉ１６，Ｉ１７となって目に届く。この場合の光像Ｉ１６，Ｉ１７は光像Ｉ１４，Ｉ１５よりも光軸から離間した位置に形成される。
さらに、物体１８，１９からの光の中で環状凸状面６に入射する成分は円錐状穴５の周壁によって反射され円形凸状面７から出射される。そして、光像Ｉ１８，Ｉ１９となって目に届く。この場合の光像Ｉ１８，Ｉ１９は光像Ｉ１６，Ｉ１７よりも光軸から離間した位置に形成される。
この場合、光像は光軸から離間するにつれて大きくなる。したがって、通常の平凸レンズを使用する場合に比べて、奥行き感が出ることになる。
【００１４】
２．円形凸状面７を対物側とした場合
円形凸状面７を対物側とした場合、物体からの光によって形成される光像は模様となって目に届く。すなわち、パノラマレンズ１の直ぐそばにあってある程度の広がりを持つ物体の像は、パノラマレンズ１の中心から半径方向外側に向けて拡開した形となって、円錐状穴５の周壁と、環状凸状面６とに模様となって目に届く。広がりが小さい物体の像は、環状凸状面６だけに模様となって目に届く。
また、パノラマレンズ１から少し離れた所にある物体は、その物体が光軸近くにあると、物体からの光の多くは円錐状穴５の周壁で反射し、その多くはパノラマレンズ１の周辺方向に出射されて目に届かない。一方、パノラマレンズ１から少し離れた所にある物体は、その物体が光軸から離れた所にあると、円形凸状面７に入射した光の成分によって、円錐状穴５の周壁と、環状凸状面６とに模様となって目に届く。
【００１５】
（第２実施形態）
図４には第２実施形態のパノラマレンズの斜視図、図５には図４のパノラマレンズの断面図、図６には図４のパノラマレンズの光路が示されている。
これらの図において符号２１はパノラマレンズを指示し、このパノラマレンズ２１は、特に限定はされないがプラスチックで形成され、光軸方向２２に直交する各断面の外形が円形に形成されている。
パノラマレンズ２１の光軸方向２２の中央は、一定の径を持つ円柱状部分２３となっている。なお、円柱状部分２３の外周にはパノラマレンズ２１をカメラフード等に取り付けるためのフランジ２４が形成されている。
また、パノラマレンズ２１の光軸方向２２の一端側には、深さ方向に穴径が小さくなるように狭窄する円錐台状穴２５が形成されている。円錐台状穴２５の底面は凹面となっている。この底面は平面であっても良いし、凸面であっても良い。
また、パノラマレンズ２１の円錐台状穴２５の外側部分は当該円錐状穴２５を取り巻く形の環状凸状面２６となっている。すなわち、円錐状穴２５の開口縁と円柱状部分２３との間の角部分は、環状凸状面２６を構成している。
また、パノラマレンズ２１の光軸方向の他端側は円形凸状面２７となっている。
そして、このパノラマレンズ２１では、環状凸状面２６側の正面斜め外方及び光軸方向２に直交する方向からの光が環状凸状面２６に入射した場合に、円錐台状穴２５の周壁で反射されて円形凸状面２７から出射されるようになっている。
【００１６】
次に、パノラマレンズ２１の作用を説明する。
このパノラマレンズ２１は環状凸状面２６及び円形凸状面２７を選択的に対物側に向けて使用できる。したがって、パノラマレンズ２１の作用もその使用態様毎に分けて説明する。
【００１７】
１．環状凸状面２６を対物側とした場合
図７には環状凸状面２６を対物側とした場合におけるパノラマレンズ２１の光路が示されている。同図には物体３１〜３９が示されている。図面上では、これらの物体は人形であり、パノラマレンズ２１に足を向けて寝ているような形で示されている。しかし、これは描画上での便宜のためであって、実際には、物体３１〜３９は足を地に着けた形で立っており、光軸が水平となるようにパノラマレンズ２１が保持されている。
また、同図には円形凸状面２７側の光軸上で目で観察した場合の光像Ｉ３１〜Ｉ３９が示されている。光像Ｉ３１〜Ｉ３９はパノラマレンズ１に頭を向けて寝ているような形で図示されている。しかし、これも描画上での便宜のためである。実際には、光像Ｉ３１〜Ｉ３９は正立像となる。
まず、正面に位置する物体３１からの光の中で円錐台状穴２５の底壁を透過する成分によって光像Ｉ３１が形成されて目に届く。
また、物体３１の両横に位置する物体３２，３３からの光の中で環状凸状面２６に入射する成分は円錐台状穴２５の周壁によって反射され円形凸状面２７から出射される。そして、光像Ｉ３２，Ｉ３３となって目に届く。この場合の光像Ｉ３２，Ｉ３３は光軸の近くに形成される。
さらに、物体３４，３５からの光の中で環状凸状面２６に入射する成分は円錐台状穴２５の周壁によって反射され円形凸状面２７から出射される。そして、光像Ｉ３４，Ｉ３５となって目に届く。この場合の光像Ｉ３４，Ｉ３５は光像Ｉ３２，Ｉ３３よりも光軸から離間した位置に形成される。
また、物体３６，３７からの光の中で環状凸状面２６に入射する成分は円錐台状穴２５の周壁によって反射され円形凸状面２７から出射される。そして、光像Ｉ３６，Ｉ３７となって目に届く。この場合の光像Ｉ３６，Ｉ３７は光像Ｉ３４，Ｉ３５よりも光軸から離間した位置に形成される。
さらに、物体３８，３９からの光の中で環状凸状面２６に入射する成分は円錐台状穴２５の周壁によって反射され円形凸状面２７から出射される。そして、光像Ｉ３８，Ｉ３９となって目に届く。この場合の光像Ｉ３８，Ｉ３９は光像Ｉ３６，Ｉ３７よりも光軸から離間した位置に形成される。
この場合、光像は光軸から離間するにつれて大きくなる。したがって、通常の平凸レンズを使用する場合に比べて、奥行き感が出ることになる。
【００１８】
２．円形凸状面２７を対物側とした場合
円形凸状面２７の中で円錐台状穴２５の底壁に対応する箇所に到達する光は透過して物体の像が見える。また、円錐台状穴２５の周周壁には周辺にある物体が模様となって見える。
【図面の簡単な説明】
【００１９】
【図１】第１実施形態のパノラマレンズの斜視図である。
【図２】図１のパノラマレンズの断面図である。
【図３】図１のパノラマレンズの光路を示す図である。
【図４】第２実施形態のパノラマレンズの斜視図である。
【図５】図４のパノラマレンズの断面図である。
【図６】図４のパノラマレンズの光路を示す図である。
【符号の説明】
【００２０】
１，３１    パノラマレンズ
２，３２    光軸方向
３，３３    円柱状部分
４，３４    フランジ
５          円錐状穴
６，３６    環状凸状面
７，３７    円形凸状面
３５        円錐台状穴
【図１】
2009288521.tif 000003
【図２】
2009288521.tif 000004
【図３】
2009288521.tif 000005
【図４】
2009288521.tif 000006
【図５】
2009288521.tif 000007
【図６】
2009288521.tif 000008
【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
光軸方向に直交する各断面の外形が円形に形成されたレンズであって、前記光軸方向の中央は一定の外径を持つ円柱状部分となっており、前記光軸方向の一端部に、開口径が前記円柱状部分よりも小さく且つ深さ方向に狭窄し中心軸の延在方向が前記光軸方向と合致する円錐状穴が形成され、前記円錐状穴の開口縁と前記円柱状部分との間の角部分は該円錐状穴の開口側である前記光軸方向の一端部の外方から見た場合に環状で且つ前記光軸方向の他端部側に向けて徐々に径が増すような環状凸状面を構成し、前記光軸方向の他端部は前記光軸方向の他端部側の外方から見た場合に円形である円形凸状面を構成し、
前記円錐状穴、前記環状凸状面および前記円形凸状面は、前記環状凸状面側の正面斜め外方および前記環状凸状面の周囲からの光が前記環状凸状面に入射したとした場合に、該光は前記円錐状穴の周壁で反射されて、より広角位置からの光ほど前記光軸から離間した位置となるよう前記円形凸状面から出射されるよう構成され、
前記環状凸状面側の正面斜め外方から前記環状凸状面の周囲に存在する像を前記光軸方向の他端部側の外方から観察可能となっていることを特徴とするパノラマレンズ。
【請求項２】
前記円錐状穴の周壁は黒色に塗られていることを特徴とする請求項１に記載のパノラマレンズ。
【請求項３】
光軸方向に直交する各断面の外形が円形に形成されたレンズであって、前記光軸方向の中央は一定の外径を持つ円柱状部分となっており、前記光軸方向の一端部に、開口径が前記円柱状部分よりも小さく且つ深さ方向に狭窄し中心軸の延在方向が前記光軸方向と合致する円錐台状穴が形成され、前記円錐台状穴の開口縁と前記円柱状部分との間の角部分は該円錐台状穴の開口側である前記光軸方向の一端部の外方から見た場合に環状で且つ前記光軸方向の他端部側に向けて徐々に径が増すような環状凸状面を構成し、前記光軸方向の他端部は前記光軸方向の他端部の外方から見た場合に円形である円形凸状面を構成し、
前記円錐台状穴、前記環状凸状面および前記円形凸状面は、前記環状凸状面側の正面斜め外方および前記環状凸状面の周囲からの光が前記環状凸状面に入射したとした場合に、該光は前記円錐台状穴の周壁で反射されて、より広角位置からの光ほど前記光軸から離間した位置となるよう前記円形凸状面から出射されるよう構成され、
前記環状凸状面側の正面斜め外方から前記環状凸状面の周囲に存在する像を前記光軸方向の他端部の外方から観察可能となっていることを特徴とするパノラマレンズ。
【請求項４】
前記円柱状部分の外周にはフランジが形成されていることを特徴とする請求項１〜３いずれか一項に記載のパノラマレンズ。
【手続補正２】
【補正対象書類名】明細書
【補正対象項目名】０００５
【補正方法】変更
【補正の内容】
【０００５】
請求項１の発明は、
光軸方向に直交する各断面の外形が円形に形成されたレンズであって、前記光軸方向の中央は一定の外径を持つ円柱状部分となっており、前記光軸方向の一端部に、開口径が前記円柱状部分よりも小さく且つ深さ方向に狭窄し中心軸の延在方向が前記光軸方向と合致する円錐状穴が形成され、前記円錐状穴の開口縁と前記円柱状部分との間の角部分は該円錐状穴の開口側である前記光軸方向の一端部の外方から見た場合に環状で且つ前記光軸方向の他端部側に向けて徐々に径が増すような環状凸状面を構成し、前記光軸方向の他端部は前記光軸方向の他端部側の外方から見た場合に円形である円形凸状面を構成し、
前記円錐状穴、前記環状凸状面および前記円形凸状面は、前記環状凸状面側の正面斜め外方および前記環状凸状面の周囲からの光が前記環状凸状面に入射したとした場合に、該光は前記円錐状穴の周壁で反射されて、より広角位置からの光ほど前記光軸から離間した位置となるよう前記円形凸状面から出射されるよう構成され、
前記環状凸状面側の正面斜め外方から前記環状凸状面の周囲に存在する像を前記光軸方向の他端部側の外方から観察可能となっていることを特徴とするパノラマレンズである。
ここに、円錐状穴の開口の外側部分を環状凸状面としたのは、円錐状穴の形成されている端部を対物側とした場合に、広角で光を拾うためである。一方、反対側の端部を円形凸状面としたのは、円錐状穴が形成されている面を対物側とした場合に、本来ならばレンズの周面から出射されてしまう光をも可能な限り円形凸状面で光軸方向に屈折させて出射させるためである。
【手続補正３】
【補正対象書類名】明細書
【補正対象項目名】０００６
【補正方法】変更
【補正の内容】
【０００６】
請求項２の発明は、請求項１に記載のパノラマレンズであって、前記円錐状穴の周壁は黒色に塗られていることを特徴とする。
【手続補正４】
【補正対象書類名】明細書
【補正対象項目名】０００７
【補正方法】変更
【補正の内容】
【０００７】
請求項３の発明は、
光軸方向に直交する各断面の外形が円形に形成されたレンズであって、前記光軸方向の中央は一定の外径を持つ円柱状部分となっており、前記光軸方向の一端部に、開口径が前記円柱状部分よりも小さく且つ深さ方向に狭窄し中心軸の延在方向が前記光軸方向と合致する円錐台状穴が形成され、前記円錐台状穴の開口縁と前記円柱状部分との間の角部分は該円錐台状穴の開口側である前記光軸方向の一端部の外方から見た場合に環状で且つ前記光軸方向の他端部側に向けて徐々に径が増すような環状凸状面を構成し、前記光軸方向の他端部は前記光軸方向の他端部の外方から見た場合に円形である円形凸状面を構成し、
前記円錐台状穴、前記環状凸状面および前記円形凸状面は、前記環状凸状面側の正面斜め外方および前記環状凸状面の周囲からの光が前記環状凸状面に入射したとした場合に、該光は前記円錐台状穴の周壁で反射されて、より広角位置からの光ほど前記光軸から離間した位置となるよう前記円形凸状面から出射されるよう構成され、
前記環状凸状面側の正面斜め外方から前記環状凸状面の周囲に存在する像を前記光軸方向の他端部の外方から観察可能となっていることを特徴とするパノラマレンズである。
ここに、円錐台状穴の開口の外側部分を環状凸状面としたのは、円錐台状穴の形成されている端部を対物側とした場合に、広角で光を拾うためである。一方、反対側の端部を円形凸状面としたのは、円錐台状穴が形成されている面を対物側とした場合に、本来ならばレンズの周面から出射されてしまう光をも可能な限り円形凸状面で光軸方向に屈折させて出射させるためである。
【手続補正５】
【補正対象書類名】明細書
【補正対象項目名】０００８
【補正方法】変更
【補正の内容】
【０００８】
請求項４の発明は、請求項１〜３いずれか一項に記載のパノラマレンズであって、前記円柱状部分の外周にはフランジが形成されていることを特徴とする。
【手続補正６】
【補正対象書類名】明細書
【補正対象項目名】０００９
【補正方法】変更
【補正の内容】
【０００９】
請求項１の発明によれば、環状凸状面側の正面斜め外方からの光が環状凸状面に入射した場合、その光は円錐状穴の周壁で反射されて円形凸状面から出射される。そして、この場合、広角範囲に同じ大きさの物体が等距離に置かれているとすれば、円形凸状面から出射される光によって形成される光像は、より広角位置に置かれた物体ほど光軸から離れた位置に大きな像となって形成される。したがって、このパノラマレンズを通して見た景色には奥行き感が出ることになる。その結果、カメラレンズとして使用した場合、面白みのある写真撮影が可能となる。また、広角位置に存在するものを広く観察できるので、パノラマレンズ周辺の監視装置にも適用することができる。
一方で、請求項１の発明によれば、円形凸状面を対物側とした場合、物体からの光が円形凸状面に入射したとき、円錐状穴の周壁及び環状凸状面から出射される。そして、この場合、円錐状穴の周壁及び環状凸状面から出射される光によって形成される光像は模様となる。
【手続補正７】
【補正対象書類名】明細書
【補正対象項目名】００１０
【補正方法】変更
【補正の内容】
【００１０】
請求項３の発明によれば、環状凸状面側の正面からの光が円錐台状穴の底壁から入射した場合、その光は底壁を透過して出射される。つまり、正面に置かれた物体からの光は底壁から出射されて物体の形を保持した光像となる。また、環状凸状面側の正面斜め外方からの光が環状凸状面に入射した場合、その光は円錐台状穴の周壁で反射されて円形凸状面から出射される。そして、後者の場合、広角範囲に同じ大きさの物体が等距離に置かれているとすれば、円形凸状面から出射される光によって形成される光像は、より広角位置に置かれた物体ほど光軸から離れた位置に大きな像となって形成される。したがって、このパノラマレンズを通して見た景色には奥行き感が出ることになる。その結果、カメラレンズとして使用した場合、面白みのある写真撮影が可能となる。また、広角位置に存在するものを広く観察できるので、パノラマレンズ周辺の監視装置にも適用することができる。
一方、請求項３の発明によれば、円形凸状面を対物側とした場合、物体からの光が円形凸状面に入射したとき、円錐状穴の周壁及び環状凸状面から出射される。そして、この場合、円錐状穴の周壁及び環状凸状面から出射される光によって形成される光像は模様となる。